(57)【要約】【課題】  内蔵無線部を有する撮像装置に通信機能を有する記録媒体が装着された場合に、ユーザに取ってわかりやすい画面を提供したい。【解決手段】  撮像装置に装着されている記録媒体が、無線通信部を内蔵し無線通信が可能な無線記録媒であると判断された場合、無線記録媒体が撮像装置にはない無線通信機能を有するかを判断し、無線記録媒体が撮像装置にはない無線通信機能を有すると判断された場合、撮像装置が有する無線通信機能に関する項目と、無線記録媒体が有する無線通信機能のうち撮像装置にはない無線通信機能に関する項目とを表示する。【選択図】  図８
2014050004.tif 000002
【特許請求の範囲】
【請求項１】
記録媒体が装着可能な撮像装置であって、
無線通信機能に関する複数の項目を選択可能に表示する表示手段と、
外部機器と無線で通信する無線通信手段と、
前記撮像装置に装着されている記録媒体が、無線通信部を内蔵し無線通信が可能な無線記録媒体か判断する第１の判断手段と、
前記判断手段により無線記録媒体であると判断した場合、前記無線記録媒体が前記無線通信手段にはない無線通信機能を有するかを判断する第２の判断手段とを有し、
前記第２の判断手段により、前記無線記録媒体が前記無線通信手段にはない無線通信機能を有すると判断された場合、前記表示手段は、前記無線通信手段が有する無線通信機能に関する項目と、前記無線記録媒体が有する無線通信機能のうち前記無線通信手段にはない無線通信機能に関する項目とを表示することを特徴とする撮像装置。
【請求項２】
前記表示手段は、前記無線通信手段が有する無線通信機能と前記無線記録媒体が有する無線通信機能のうち、重複する無線通信機能に関する項目を１つの項目として表示することを特徴とする請求項１に記載の撮像装置。
【請求項３】
前記表示手段は、前記無線通信手段が有する無線通信機能に関する項目と、前記無線記録媒体が有する無線通信機能に関する項目とを合わせて一覧表示することを特徴とする請求項１または２に記載の撮像装置。
【請求項４】
前記表示手段は、前記無線通信手段が有する無線通信機能に関する項目の一覧表示と、前記無線記録媒体が有する無線通信機能に関する項目の一覧表示とを切り替え可能に表示することを特徴とする請求項１または２に記載の撮像装置。
【請求項５】
ユーザ操作に基づき、前記表示手段により表示された項目のいずれかを選択する選択手段をさらに有し、
前記選択手段により選択された項目に応じて、前記無線通信手段による通信を行うか、前記無線記録媒体による通信を行うかを決定することを特徴とする請求項１乃至４のいずれか１項に記載の撮像装置。
【請求項６】
前記選択手段により、前記無線記録媒体が有する無線通信機能のうち前記無線通信手段にはない無線通信機能に関する項目が選択された場合、前記無線記録媒体を、前記選択手段により選択された項目に対応するモードに遷移させることを特徴とする請求項５に記載の撮像装置。
【請求項７】
前記無線記録媒体は、少なくともＤＬＮＡ（Ｄｉｇｉｔａｌ  Ｌｉｖｉｎｇ  Ｎｅｔｗｏｒｋ  Ａｌｌｉａｎｃｅ）に基づき画像データを送信することができることを特徴とする請求項１乃至６のいずれか１項に記載の撮像装置。
【請求項８】
前記無線通信手段は、ＰＴＰ（Ｐｉｃｔｕｒｅ  Ｔｒａｎｓｆｅｒ  Ｐｒｏｔｏｃｏｌ）に基づき画像データを送信することができることを特徴とする請求項１乃至７のいずれか１項に記載の撮像装置。
【請求項９】
前記表示手段は、前記無線通信機能に関する複数の項目として、通信相手となる機器の種類を表示することを特徴とする請求項１乃至８のいずれか１項に記載の撮像装置。
【請求項１０】
前記通信相手となる機器の種類は、携帯電話を含むことを特徴とする請求項９に記載の撮像装置。
【請求項１１】
前記通信相手となる機器の種類は、プリンタを含むことを特徴とする請求項９または１０に記載の撮像装置。
【請求項１２】
前記表示手段は、前記無線通信機能に関する複数の項目として、ネットワークへの接続方法を表示することを特徴とする請求項１乃至１１のいずれか１項に記載の撮像装置。
【請求項１３】
前記ネットワークへの接続方法は、アドホックモードでの接続、インフラストラクチャーモードでの接続のうち少なくとも１つを含むことを特徴とする請求項１２に記載の撮像装置。
【請求項１４】
外部機器と無線で通信する無線通信手段を有し、記録媒体が装着可能な撮像装置の制御方法であって、
無線通信機能に関する複数の項目を選択可能に表示する表示工程と、
前記撮像装置に装着されている記録媒体が、無線通信部を内蔵し無線通信が可能な無線記録媒体か判断する第１の判断工程と、
前記判断工程で無線記録媒体であると判断した場合、前記無線記録媒体が前記無線通信手段にはない無線通信機能を有するかを判断する第２の判断工程とを有し、
前記第２の判断工程で、前記無線記録媒体が前記無線通信手段にはない無線通信機能を有すると判断された場合、前記表示工程では、前記無線通信手段が有する無線通信機能に関する項目と、前記無線記録媒体が有する無線通信機能のうち前記無線通信手段にはない無線通信機能に関する項目とを表示することを特徴とする撮像装置の制御方法。
【請求項１５】
撮像装置を、請求項１乃至１３のいずれか１項に記載の撮像装置の各手段として機能させるコンピュータが読み取り可能なプログラム。
【発明の詳細な説明】
【技術分野】
【０００１】
本発明は、通信機能を有する記録媒体を接続可能な撮像装置に関する。
【背景技術】
【０００２】
近年、撮像装置から外部機器へ画像データをより簡単に転送できるよう、無線通信機能を有するメモリカードが販売されている。このメモリカードをデジタルカメラに装着すると、無線通信可能な外部機器に画像データを送信することが可能である。また、無線機能を有するメモリカードを装着した際に無線通信機能の設定操作を可能とする撮像装置も知られている（特許文献１参照）。
【０００３】
その一方で、無線通信機能を内蔵した撮像装置も徐々に普及しており、撮像装置のユーザとしては、撮像装置に内蔵された無線通信機能と、メモリカードが有する無線通信機能の両方を用いることができるようになってきた。
【先行技術文献】
【特許文献】
【０００４】
【特許文献１】特開２０１１−１２８９１０号公報
【発明の概要】
【発明が解決しようとする課題】
【０００５】
上述したように利用できる無線通信機能が多様になる一方で、今後は無線通信機能を内蔵した撮像装置に無線通信機能を有する記録媒体を装着するケースが想定される。両者の無線通信機能が多様化していくと、その中には類似したものが含まれる可能性もあり、その場合にはユーザが混乱する可能性がある。
【課題を解決するための手段】
【０００６】
本発明に係る撮像装置は、記録媒体が装着可能な撮像装置であって、無線通信機能に関する複数の項目を選択可能に表示する表示手段と、外部機器と無線で通信する無線通信手段と、前記撮像装置に装着されている記録媒体が、無線通信部を内蔵し無線通信が可能な無線記録媒体か判断する第１の判断手段と、前記判断手段により無線記録媒体であると判断した場合、前記無線記録媒体が前記無線通信手段にはない無線通信機能を有するかを判断する第２の判断手段とを有し、前記第２の判断手段により、前記無線記録媒体が前記無線通信手段にはない無線通信機能を有すると判断された場合、前記表示手段は、前記無線通信手段が有する無線通信機能に関する項目と、前記無線記録媒体が有する無線通信機能のうち前記無線通信手段にはない無線通信機能に関する項目とを表示することを特徴とする。
【発明の効果】
【０００７】
本発明によれば、撮像装置と、撮像装置に接続された記録媒体の双方に無線通信機能があった場合であっても、ユーザにとって使い勝手のよい操作感を提供することが可能となる。
【図面の簡単な説明】
【０００８】
【図１】第１の実施形態におけるデジタルカメラの構成を示す図である。
【図２】第１の実施形態における無線メモリカードの構成を示す図である。
【図３】第１の実施形態における無線メモリカードの状態遷移図である。
【図４】第１の実施形態における通信システムの概念図である。
【図５】第１の実施形態におけるデジタルカメラの表示画面の一例である。
【図６】第１の実施形態における通信システムの概念図である。
【図７】第１の実施形態におけるデジタルカメラの表示画面の一例である。
【図８】第１の実施形態におけるデジタルカメラの表示画面の一例である。
【図９】第１の実施形態におけるデジタルカメラの動作を示すフローチャートである。
【図１０】第２の実施形態におけるデジタルカメラの表示画面の一例である。
【図１１】第３の実施形態におけるデジタルカメラの表示画面の一例である。
【発明を実施するための形態】
【０００９】
［第１の実施形態］
以下、本発明の実施形態について説明する。本実施形態では、無線通信機能を有するメモリカード（以下、無線メモリカード）を装着可能な撮像装置であるデジタルカメラを例に説明する。なお、デジタルカメラのみならず、携帯電話やいわゆるタブレット端末などの画像処理装置を用いることも可能である。
【００１０】
＜撮像装置＞
図１は、デジタルカメラ１００の構成例を示すブロック図である。
【００１１】
制御部１０１は、例えばＣＰＵ，ＭＰＵなどプログラマブルなプロセッサであり、デジタルカメラ１００全体の制御を司る。不揮発性メモリ１０２は制御部１０１の処理手順（プログラム）や、デジタルカメラ１００の各種設定やメニュー画面などのＧＵＩ（Ｇｒａｐｈｉｃａｌ  Ｕｓｅｒ  Ｉｎｔｅｒｆａｃｅ）データなどを記憶する。
【００１２】
ＲＡＭ１０３は制御部１０１のワークエリアとして使用される。操作部１０４はボタン並びにスイッチ群であり、ユーザがデジタルカメラ１００に各種指示を与えるために用いられる。
【００１３】
表示部１０５は例えばＬＣＤ（Ｌｉｑｕｉｄ  Ｃｒｙｓｔａｌ  Ｄｉｓｐｌａｙ）であり、撮影した画像や、各種設定を行う際のメニュー画面を表示するために使用される。
【００１４】
光学ユニット１０６は主としてレンズ（ズームレンズ、フォーカスレンズなど）及びその駆動を行うアクチュエータ等で構成される。
【００１５】
撮像素子１０７はＣＣＤイメージセンサやＣＭＯＳイメージセンサである。ドライバ１０８は制御部１０１の制御下において光学ユニット１０６を制御する。
【００１６】
コネクタ１０９は着脱可能な記録媒体であるメモリカード１２０を接続するためのコネクタである。後述するように、本実施形態におけるデジタルカメラ１００は、メモリカード１２０として無線メモリカードを接続することが可能である。有線インタフェース（Ｉ／Ｆ）１５０は例えばＵＳＢ，ＩＥＥＥ１９３４，ＨＤＭＩなどのデジタルインタフェースであり、有線接続により外部機器と接続するために用いられる。無線Ｉ／Ｆ１５１は外部機器と無線で通信するための無線チップやアンテナなどを含む。本実施形態では、無線Ｉ／Ｆ１５１は制御部１０１の制御の下、無線ＬＡＮによる通信を行うものとする。
【００１７】
また、デジタルカメラ１００はＰＴＰ（Ｐｉｃｔｕｒｅ  Ｔｒａｎｓｆｅｒ  Ｐｒｏｔｏｃｏｌ）のＰＴＰレスポンダとして機能するためのプログラムを不揮発性メモリ１０２に保持している。したがってデジタルカメラ１００は、外部のＰＴＰイニシエータとＰＴＰにしたがった画像データの送受信を行うことが可能である。ＰＴＰ通信は有線Ｉ／Ｆ１５０と無線Ｉ／Ｆ１５１のいずれを介して行うことも可能である。
【００１８】
＜無線通信機能付きメモリカード＞
図２は、無線記録媒体の一例である、無線メモリカードの構成例を示すブロック図である。無線メモリカードは、カードコントローラ１２０１、無線通信部１２０２、メモリ部１２０３を有している。
【００１９】
カードコントローラ１２０１は、例えばＣＰＵ，ＲＯＭ，ＲＡＭなどを有し、無線メモリカードの各部を制御し、各種動作を実現する。例えば無線通信制御、後述するＰＴＰ通信、通常のメモリカードとしての記録制御などはカードコントローラ１２０１の制御により実現される。
【００２０】
無線通信部１２０２はアンテナや無線チップなどを含み、無線ＬＡＮやＢｌｕｅｔｏｏｔｈ（登録商標）等の無線通信規格に準拠した無線通信機能を実現する。本実施形態では、無線通信部１２０２が無線ＬＡＮによる無線通信機能を有するものとする。また、本実施形態における無線メモリカードは、ＰＴＰ／ＩＰ（ＰＴＰ  ｏｖｅｒ  ＩＰ）を用いて外部装置と通信するためのプログラム、及びＰＴＰレスポンダとして機能するためのプログラムも有している。
【００２１】
メモリ部１２０３は例えばＮＡＮＤ型の不揮発性メモリを含み、カードコントローラ１２０１を通じて書き込まれた静止画、動画、音声などのデータを記憶する。なお、無線メモリカードはデジタルカメラ１００の記録媒体として機能するための所定のファイルシステム、例えばＤＣＦ（Ｄｅｓｉｇｎ  ｒｕｌｅ  ｆｏｒ  Ｃａｍｅｒａ  Ｆｉｌｅ  ｓｙｓｔｅｍ）に準拠してファイルの記録を行うものとする。つまり、無線メモリカードは通常のメモリカードとして用いることも可能である。
【００２２】
＜無線メモリカードの状態遷移＞
図３は、本実施形態における無線メモリカードの状態遷移図である。後述するように、無線メモリカードは複数のアプリケーションモードを有し、ホスト機器からのコマンドにより、アプリケーションモードを切り替え可能である。本実施形態では、アプリケーションモードとして、ＤＬＮＡモード、カードモード、カメラモード、プリントモードのいずれかに切り替え可能であるものとする。
【００２３】
ＤＬＮＡモードは、ＤＬＮＡ（Ｄｉｇｉｔａｌ  Ｌｉｖｉｎｇ  Ｎｅｔｗｏｒｋ  Ａｌｌｉａｎｃｅ）ガイドラインに準拠した家電などのネットワークに無線接続し、ネットワーク上の家電製品、例えばテレビなどと通信を行う動作モードである。本実施形態では無線メモリカードはメディアサーバとして動作し、テレビに代表されるメディアプレーヤなどのクライアント機器にコンテンツを提供するものとする。
【００２４】
カードモードは、無線メモリカードがホスト機器であるデジタルカメラ１００とは基本的に独立して、無線通信ネットワーク上の外部機器とＰＴＰ／ＩＰで通信を確立し、ＰＴＰ通信するモードである。このモードでは、無線メモリカードがＰＴＰレスポンダとして機能する。カードモードは、ＰＣと通信し、ＰＣの操作でデータの送受信を行うケース場合が想定される。
【００２５】
カメラモードは、無線メモリカードがあたかもデジタルカメラ１００の無線通信アダプタとして機能し、デジタルカメラ１００と無線通信ネットワーク上の外部機器とのＰＴＰ通信を可能とする動作モードである。このモードでは、デジタルカメラ１００がＰＴＰレスポンダとして機能し、無線メモリカードに保持されたＰＴＰ／ＩＰを用いて外部機器と無線でＰＴＰ通信する。カメラモードは、他のカメラや携帯電話と通信し、デジタルカメラ１００の操作でデータの送受信を行うケース場合が想定される。
【００２６】
プリントモードは、無線ネットワーク上に存在するプリンタを用いたダイレクトプリントを実現する動作モードである。このモードでは、デジタルカメラ１００がＰＴＰレスポンダとして機能し、無線メモリカードに保持されたＰＴＰ／ＩＰを用いて外部機器と無線でＰＴＰ通信する。そして、ダイレクトプリント用のアプリケーションプロトコルを用いてプリンタへの印刷ジョブなどを送信する。
【００２７】
なお、図３に示すように、これらのアプリケーションモード間での直接遷移はできず、必ずＮｏ  ａｐｐｌｉｃａｔｉｏｎモードを経由してアプリケーションモードが変更されるように構成されている。Ｎｏ  ａｐｐｌｉｃａｔｉｏｎモードの場合、無線メモリカードは、ネットワーク接続の維持に必要な動作や接続可能なネットワークの探索などを行う。
【００２８】
なお、本実施形態では種々の無線メモリカードを想定しており、そのすべての無線メモリカードが図３に示す４つのアプリケーションモードに遷移可能である必要はない。例えば、ＤＬＮＡモードにのみ遷移可能な無線メモリカードもあり得るし、カードモード、カメラモード、プリントモードの３つのみに遷移可能な無線メモリカードも有り得る。
【００２９】
＜内蔵無線部による通信の概要＞
次に、デジタルカメラ１００に内蔵された無線Ｉ／Ｆ１５１を用いて実現可能な通信の概要について説明する。以下、対比説明を容易にするため、無線Ｉ／Ｆ１５１を「内蔵無線部」、無線通信メモリカードの無線通信部１２０２を「カード無線部」と呼ぶ。
【００３０】
図４は、内蔵無線部を用いた通信の概念図である。本実施例のデジタルカメラ１００は、図４（ａ）〜（ｄ）に示すように、内蔵無線部を用いて他のデジタルカメラ、携帯電話、ＰＣ及びプリンタと接続することができる。
【００３１】
＜メニュー表示例＞
デジタルカメラ１００のユーザは、操作部１０４を用いて所定の操作を行うことで、通信する機器を選択する画面を表示部１０５に表示させることができる。図５は、通信メニューのうち、内蔵無線部により通信する機器を選択する通信機器選択画面の一例である。なお、図５の画面はコネクタ１０９に無線メモリカードが装着されていない場合に表示される画面である。
【００３２】
図５には、内蔵無線部により通信可能な機器であるデジタルカメラ、携帯電話、ＰＣ（パーソナルコンピュータ）、プリンタがメニュー項目として選択可能に一覧表示される。ユーザは所望の機器を選択することにより、デジタルカメラ１００と他の機器との通信を確立する処理を開始させることができる。
【００３３】
＜無線メモリカードによる通信の概要＞
図６は、無線メモリカードをデジタルカメラ１００に装着し、カード無線部を用いて通信する場合の概念図である。なお、ここで例示する無線メモリカードは、ＤＬＮＡモード及びプリンタモードに遷移可能であるものとする。
【００３４】
図６（ａ）は、ＤＬＮＡモードの無線メモリカードがテレビと通信するシステムを示す。ＤＬＮＡモードの無線メモリカードの通信相手として可能性が高いのは、メディアプレーヤ機能を備えたテレビである。無線メモリカードはテレビとの接続を確立すると、メモリ部１２０３に記録された画像データをテレビに送信し、テレビは受信した画像データをディスプレイに表示することが可能となる。
【００３５】
図６（ｂ）は、プリントモードの無線メモリカードがプリンタと通信するシステムを示す。無線メモリカードはテレビとの接続を確立すると、ＰＴＰ通信によりメモリ部１２０３に記録された画像データをプリンタに送信し、プリンタは受信した画像データを印刷することが可能となる。
【００３６】
＜無線メモリカード装着時のメニュー表示例（１）＞
上記の例では、内蔵無線部ではカメラ、携帯電話、ＰＣ、プリンタと通信可能であり、カード無線部ではテレビなどのＤＬＮＡメディアプレーヤ、プリンタと通信可能である。つまり、カード無線部でのみ通信可能な機器としてはテレビなどのＤＬＮＡメディアプレーヤがあり、内蔵無線部とカード無線部の両方で通信可能な機器としてはプリンタがある。このようなケースにおいて、デジタルカメラ１００に無線メモリカードが接続された場合について説明する。
【００３７】
図７に、無線メモリカードが装着された場合に表示される通信機器選択画面の一例を示す。図７の画面は、内蔵無線タブ７０１とカード無線タブ７０２を含み、ユーザは操作部１０４を操作することによりいずれかのタブを選択することができる。
【００３８】
画面７０３は、内蔵無線タブ７０１が選択された場合に表示される画面の例である。この画面では、内蔵無線部により通信可能な機器、つまりデジタルカメラ、携帯電話、ＰＣ、プリンタが選択可能なメニュー項目として一覧表示される。ユーザは所望の機器を選択することにより、デジタルカメラ１００と他の機器との通信を確立する処理を開始させることができる。
【００３９】
画面７０４は、カード無線タブ７０２が選択された場合に表示される画面の例である。この画面では、カード無線部により通信可能な機器、つまりテレビとプリンタが選択可能なメニュー項目として一覧表示される。ユーザ所望の機器を選択することにより、無線メモリカードを対応するモードに移行させ、他の機器との通信を確立する処理を開始させることができる。なお、この画面ではテレビを選択候補として表示しているが、実際にはテレビが選択された場合には、画像を表示するサービスを有するなど、所定の条件を満たすＤＬＮＡメディアプレーヤと通信することが可能である。
【００４０】
＜無線メモリカード装着時のメニュー表示例（２）＞
以下、通信機器選択画面について、他の例を説明する。図７の通信機器選択画面では、内蔵無線タブ７０１とカード無線タブ７０２のいずれを選択しても、プリンタが選択候補として表示される。しかし、どちらのプリンタアイコンが選択されても、内蔵無線部を用いるかカード無線部を用いるかの違いはあるものの、ユーザにとっては所望のデータが印刷されるという結果は同じである。このような場合はどちらを選んでも問題はないものの、同じ選択肢が複数あるのはユーザにとっては混乱の原因になりうる。
【００４１】
そこで、重複する通信機能は選択候補を１つにするという表示形態が考えられる。このような表示形態の一例を図８に示す。
【００４２】
画面８０１は、内蔵無線タブ７０１が選択された場合に表示される画面の例である。この画面では、内蔵無線部により通信可能な機器、つまりデジタルカメラ、携帯電話、ＰＣ、プリンタが選択候補として一覧表示される。これは画面７０３と変わらない。
【００４３】
画面８０２は、カード無線タブ７０２が選択された場合に表示される画面の例である。この画面では、カード無線部により通信可能な機器のうち、テレビのみが選択候補として一覧表示に含まれ、プリンタは含まれない。これはプリンタとの通信は内蔵無線部の機能と重複しているためである。
【００４４】
なお、画面８０２にのみプリンタを選択候補として表示するケースも考えられるが、図８の例では、内蔵無線部によるプリンタとの通信をカード無線部によるプリンタ通信に優先して表示することとした。これは、様々な種類が装着され得る無線メモリカードによる通信よりも、デジタルカメラ１００の機能として作り込まれている内蔵無線部による通信の方が信頼性が高いと推測されるからである。
【００４５】
＜処理フロー＞
以下、図９を用いて、図８の画面を表示可能なデジタルカメラ１００の動作フローについて説明する。なお、以下の処理はデジタルカメラ１００の制御部１０１がデジタルカメラ１００の各部またはメモリカード１２０を制御することにより実現される。
【００４６】
Ｓ９０１において、ユーザ操作によりデジタルカメラ１００の電源がオンにされるか、Ｓ９０２においてメモリカード蓋が開いた状態から閉じた状態となると処理はＳ９０３に進む。
【００４７】
Ｓ９０３において、制御部１０１は内蔵無線部により利用可能な通信機能を内蔵無線用のメニュー項目に設定する。図８の例では、カメラ、携帯電話、ＰＣ、プリンタがメニュー項目として設定される。ここで設定された項目は通信機器選択画面における表示対象となる。
【００４８】
Ｓ９０４において、制御部１０１はコネクタ１０９に装着されているメモリカード１２０にアクセスし、カードの種類を判断する。この判断方法としては、特定のコマンドを用いて１２０にカードの種類やベンダー情報などを問い合わせてもよいし、制御部１０１がメモリカード１２０内の特定の領域を読み取ることで判断してもよい。無線メモリカードであると判断した場合、処理はＳ９０５に進む。無線メモリカードではないと判断した場合、処理はＳ９０９に進み、ユーザにより通信機器選択画面を表示させるための操作を待機する。なお、本ステップによる処理は第１の判断手段による判断の一例である。
【００４９】
以下、Ｓ９０５に進んだ場合について説明する。Ｓ９０５において、制御部１０１は無線メモリカードから、対応している通信機能を取得する。具体的には、制御部１０１は所定の問合せコマンドを用いて、図３に示す４つのモードのうち、いずれのモードに対応しているかを問い合わせる。図８の例であれば、制御部１０１は、無線メモリカードがＤＬＮＡモード及びプリンタモードに対応していることを示す情報を取得する。
【００５０】
Ｓ９０６において、制御部１０１はＳ９０５で取得した無線メモリカードが有する通信機能のうち、内蔵無線部が対応していない機能があるか判断する。なお本実施形態では、ＤＬＮＡモードに対応していればテレビとの通信機能を有していると判断する。また、カードモードに対応していればＰＣとの通信機能を有していると判断する。また、カメラモードに対応していれば他のカメラ及び携帯電話との通信機能を有していると判断する。また、プリントモードに対応していればプリンタとの通信機能を有していると判断する。図８の例では、無線メモリカードがＤＬＮＡモードとプリントモードに対応しているため、テレビとの通信機能が内蔵無線部として対応していない機能であると判断される。なお、本ステップによる処理は第２の判断手段による判断の一例である。
【００５１】
Ｓ９０７において、制御部１０１は通信機器選択画面に内蔵無線タブ７０１及びカード無線タブ７０２を表示するよう設定する。この設定により、通信機器選択画面はタブ切り替え可能な画面となる。
【００５２】
Ｓ９０８において、制御部１０１は、Ｓ９０６において無線メモリカードが有する通信機能のうち、内蔵無線部の機能として対応していないと判断した機能を、カード無線部用のメニュー項目として設定する。図８の例では、テレビがメニュー項目として設定される。ここで設定されたメニュー項目は画面８０２への表示対象となる。また、プリンタは内蔵無線部の通信機能と重複しているため、本ステップでメニュー項目としては設定されない。
【００５３】
ここまでが、どのメニュー項目を表示対象とするかを設定する処理である。以下、Ｓ９０９においてユーザが通信機器選択画面を表示する操作を行った場合の処理について説明する。
【００５４】
Ｓ９０９において表示操作が行われた場合、Ｓ９１０において制御部１０１は図８に示す通信機器選択画面を表示する。この際の表示形態はＳ９０３、Ｓ９０７、Ｓ９０８で設定された項目に基づき、図５や図８に示す画面が表示される。
【００５５】
次に、Ｓ９１１においてメニュー項目を選択するユーザ操作を受け付けた場合について説明する。この場合、Ｓ９１２において、制御部１０１は選択されたのが内蔵無線部用のメニュー項目か否かを判断する。内蔵無線部用のメニュー項目であると判断した場合、処理はＳ９１３に進む。内蔵無線部用のメニュー項目でない、つまりカード無線部用のメニュー項目であると判断した場合、処理はＳ９１４に進む。なお、Ｓ９０７、Ｓ９０８を経由していない場合は、必ず処理はＳ９１３に進むことになる。本ステップは、内蔵無線部を用いて通信を行うか、カード無線部を用いて通信を行うかを決定するステップである。
【００５６】
Ｓ９１３において、制御部１０１は内蔵無線部を用いて、選択されたメニュー項目に対応する通信処理を実行する。
【００５７】
Ｓ９１４において、制御部１０１は無線メモリカードに対し、選択されたメニュー項目に対応するモードに遷移するよう指示を送信する。そして指示したモードに応じた通信が行われるよう制御する。
【００５８】
以上が、デジタルカメラ１００の動作である。なお、本実施形態ではＤＬＮＡモード及びプリントモードに対応した無線メモリカードを例に説明したが、他のモードに対応した無線メモリカードを用いることも可能である。この場合であっても、Ｓ９０６において内蔵無線部の通信機能として有していないもののみを、表示対象となるメニュー項目として設定する。
【００５９】
［第２の実施形態］
第１の実施形態では、図８に示すように内蔵無線タブ７０１とカード無線タブ７０２を表示し、いずれの通信機能を使用するかを切り替え可能とした。しかしながら図９を用いて説明したように、内蔵無線タブ７０１の選択時とカード無線タブ７０２の選択時で重複するメニュー項目はないため、むしろ通信可能な機器は一元的に一覧表示した方がユーザによってわかりやすい表示となる可能性がある。
【００６０】
そこで本実施形態では、図８の通信機器選択画面の代わりに図１０の通信機器選択画面を表示することとした。以下、図１０について説明する。なお、本実施形態は第１の実施形態と共通する部分が多いため、共通部分については説明を省略し、本実施形態に特有の部分を中心に説明する。
【００６１】
画面１００１は、無線メモリカードが装着されていないときの通信機器選択画面である。これは画面５０１と同様である。そしてデジタルカメラ１００に無線メモリカードを装着すると、通信機器選択画面は画面１００２に示すようになる。画面１００２ではタブは表示されず、画面１００１のメニュー項目にテレビを加えたものが表示される。つまりデジタルカメラ１００は、内蔵無線部による通信機能と、カード無線部による通信機能のメニュー項目を一画面中にまとめて一覧表示している。このようにすることでユーザは通信可能な機器を一元的に把握することが可能となる。
【００６２】
画面１００２において、カメラ、携帯電話、ＰＣ、プリンタのいずれかが選択された場合、デジタルカメラ１００は内蔵無線部の機能を用いて選択された機器との通信を開始する。これに対し、テレビが選択された場合は、無線通信カードに対してＤＬＮＡモードに遷移するよう指示することになる。つまり、１つの画面内に表示された機器であっても、その種類に応じて内蔵無線部を用いる場合もあれば、カード無線部を用いる場合もある。
【００６３】
図１０のような表示画面とすることで、ユーザは内蔵無線部とカード無線部のどちらを使用するのかを意識することなく、両者の機能を利用することが可能となる。
【００６４】
［第３の実施形態］
以下、第３の実施形態について説明する。なお、本実施形態は第１、第２の実施形態と共通する部分が多いため、共通部分については説明を省略し、本実施形態に特有の部分を中心に説明する。
【００６５】
第１及び第２の実施形態では、内蔵無線部とカード無線部の通信機能を考慮して、通信機器選択画面における表示態様を変更する処理について説明した。これに対し本実施形態では、内蔵無線部とカード無線部の通信機能のうち、ネットワークへの接続方式の違いに着目する。例えば無線ＬＡＮにおける無線ネットワークに接続する（参加する）方法としては、例えばアドホック接続、インフラストラクチャー接続、そしてＷｉ−Ｆｉ  Ｄｉｒｅｃｔ方式による接続などがある。Ｗｉ−Ｆｉ  Ｄｉｒｅｃｔ方式による接続は、通信する機器のいずれか一方が接続処理の過程でアクセスポイントとなり、機器間で直接通信する接続方法である。どの機器がどの接続方法に対応しているかは機器により異なる。したがって、デジタルカメラ１００の内蔵無線部が対応する接続方法と、無線メモリカードが対応する接続方法が異なる可能性もある。そこで本実施形態では、内蔵無線部を有するデジタルカメラ１００に無線メモリカードが装着された場合、それぞれが対応する接続方法を考慮した表示画面を提供することとした。
【００６６】
なお、本実施形態におけるデジタルカメラ１００は、内蔵無線部の機能としてアドホック接続及びインフラストラクチャー接続に対応している。また下記のケースでは、アドホック接続、インフラストラクチャー接続、Ｗｉ−Ｆｉ  Ｄｉｒｅｃｔ方式による接続に対応している無線メモリカードがデジタルカメラ１００に装着されるものとする。
【００６７】
図１１（ａ）は、本実施形態におけるデジタルカメラ１００の表示部１０５に表示されるメニュー画面の例である。この画面は、ユーザ操作などに応じて表示される。図１１（ａ）の画面において「無線接続方法」ボタンがユーザ操作により選択されると、接続方法を選択する接続方法選択画面に移行する。
【００６８】
図１１（ｂ）は、コネクタ１０９に無線メモリカードが装着されていない場合に表示される接続方法選択画面の一例である。図１１（ｂ）の画面には、アドホックモードでの接続を接続方法として指定するための「アドホック接続」ボタンと、インフラストラクチャーモードでの接続を接続方法として指定するための「アクセスポイント検索」ボタンとが一覧表示される。これは、内蔵無線部により実現できる接続方法である。各ボタンがユーザ操作により選択されると、デジタルカメラ１００は内蔵無線部を用いて、選択されたボタンに対応する接続方法での接続処理を開始する。
【００６９】
図１１（ｃ）は、コネクタ１０９に無線メモリカードが装着されていない場合に表示される接続方法選択画面の一例である。図１１（ｃ）の画面には、「アドホック接続」ボタン、「アクセスポイント検索」ボタンに加え、Ｗｉ−Ｆｉ  Ｄｉｒｅｃｔ方式による接続を接続方法として指定するため「Ｗｉ−Ｆｉ  Ｄｉｒｅｃｔ」ボタンが一覧表示されている。つまり図１１（ｂ）と比較した場合、無線メモリカードが対応する接続方法のうち、内蔵無線部が対応していない接続方法がメニュー項目として追加され、内蔵無線部が対応していない接続方法は追加されないことになる。各ボタンがユーザ操作により選択されると、デジタルカメラ１００は選択されたボタンに対応する接続方法での接続処理を開始する。なお、本実施形態も第２の実施形態と同様、重複している接続方法が選択された場合は内蔵無線部を用いて通信を開始することとする。つまり図１１（ｃ）の例であれば、「アドホック接続」ボタン及び「アクセスポイント検索」ボタンが選択された場合は内蔵無線部で、「Ｗｉ−Ｆｉ  Ｄｉｒｅｃｔ」ボタンが選択された場合はカード無線部でネットワークに接続することになる。
【００７０】
図１１のような表示画面とすることで、ユーザは内蔵無線部とカード無線部のどちらを使用するのかを意識することなく、両者の接続方法を利用することが可能となる。なお、本実施形態では第２の実施形態のように１つのメニュー画面に内蔵無線部とカード無線部の項目を合わせて表示したが、図８のようにタブで切り替えるようにしてもよい。この場合、カード無線タブ７０２が選択された場合は「Ｗｉ−Ｆｉ  Ｄｉｒｅｃｔ」ボタンのみが表示される。
【００７１】
［他の実施形態］
以上、本発明の好ましい実施形態について説明したが、本発明はこれらの実施形態に限定されず、その要旨の範囲内で種々の変形及び変更が可能である。
【００７２】
例えば、実施形態では、無線メモリカードが装着されている場合に、その通信機能を判断することとした（図９のＳ９０４、Ｓ９０５）。しかしながら、デジタルカメラ１００が無線メモリカードの無線機能の有効／無効が制御できる場合は、図９のＳ９０４とＳ９０５の間に無線機能が有効か否かを判断してもよい。この場合、無線機能が有効であればＳ９０５で通信機能を判断し、無線機能が無効であれば無線メモリカードの通信機能にかかわらず図５の画面を表示すればよい。
【００７３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014050004.tif 000003
【図２】
2014050004.tif 000004
【図３】
2014050004.tif 000005
【図４】
2014050004.tif 000006
【図５】
2014050004.tif 000007
【図６】
2014050004.tif 000008
【図７】
2014050004.tif 000009
【図８】
2014050004.tif 000010
【図９】
2014050004.tif 000011
【図１０】
2014050004.tif 000012
【図１１】
2014050004.tif 000013